(57)【要約】【課題】充分な安全性を確保しつつ、マイナスイオンを効率良く人体に降り注いでマイナスイオンの作用を充分に発揮させる。【解決手段】照明スタンド１０は、スタンド本体１２と、このスタンド本体１２に内蔵されマイナスイオンを放電する電極２４と、この電極２４に通電する通電部２６とを有している。マイナスイオンは、電極２４に対応する位置に形成された放射孔２８から放射される。放射孔２８は、スタンド本体１２の中心線Ｃ上に設置され揺動可能な連結部材２２に下側に向けて形成される。電極２４は、放射孔２８から突出しない位置に形成される。放射孔２８には、マイナスイオン野津羽化又は透過を許容する一方、人体の電極２４への接触を遮断するカバー３２が設けられる。【選択図】　　　　図１
2004127648.tif 000002
【特許請求の範囲】
【請求項１】
マイナスイオン発生手段と前記マイナスイオン発生手段を内蔵するスタンド本体とを備えた照明スタンドであって、前記マイナスイオン発生手段は、通電によりイオンを発生させる電極と前記電極に通電する通電部と前記スタンド本体の一部に形成され前記電極により発生したイオンを放射する放射孔とを備え、前記放射孔は人体側に向けて開口され、かつ、前記スタンド本体の中央線付近に形成されていることを特徴とする照明スタンド。
【請求項２】
マイナスイオン発生手段と前記マイナスイオン発生手段を内蔵するスタンド本体とを備えた照明スタンドであって、前記マイナスイオン発生手段は、通電によりイオンを発生させる電極と前記電極に通電する通電部と前記スタンド本体の一部に形成され前記電極により発生したイオンを放射する放射孔とを備え、前記放射孔は人体側に向けて開口され、かつ、前記スタンド本体の中央に配置される部材に形成されていることを特徴とする照明スタンド。
【請求項３】
マイナスイオン発生手段と前記マイナスイオン発生手段を内蔵するスタンド本体とを備えた照明スタンドであって、前記マイナスイオン発生手段は通電によりイオンを発生させる電極と前記電極に通電する通電部と前記スタンド本体の一部に形成され前記電極により発生したイオンを放射する放射孔とを備え、前記スタンド本体は蛍光灯又は電球を保持する傘部と前記傘部に取り付けられるアーム部と前記アーム部を支持する支持部とを備え、前記放射孔は人体側に向けて開口され、かつ、前記アーム部よりも傘部側であって前記照明スタンドの中央に配置される部材に形成されていることを特徴とする照明スタンド。
【請求項４】
請求項１乃至請求項３のいずれかに記載された照明スタンドであって、前記スタンド本体は、蛍光灯又は電球を保持する傘部と前記傘部に取り付けられるアーム部と前記アーム部を支持する支持部とを備え、前記傘部は前記アームにより少なくとも左右に揺動自在に設定され、前記放射孔は、前記傘部の揺動の中心線付近に形成されていることを特徴とする照明スタンド。
【請求項５】
請求項４に記載された照明スタンドであって、前記放射孔は、前記傘部の揺動の中心となる前記アームの中心線の延伸線上に配置される揺動可能な部材に形成されていることを特徴とする照明スタンド。
【請求項６】
請求項３乃至請求項５のいずれかに記載された照明スタンドであって、前記傘部は、前記傘部の中央に取り付けられた連結部材を介して前記アームに取り付けられ、前記放射孔は、前記連結部材に下向きに開口して形成されていることを特徴とする照明スタンド。
【請求項７】
請求項１乃至請求項６のいずれかに記載された照明スタンドであって、前記電極は前記放射孔に対応する位置で、かつ、前記スタンド本体より突出しない位置に設置されていることを特徴とする照明スタンド。
【請求項８】
請求項１乃至請求項７のいずれかに記載された照明スタンドであって、前記電極は前記放射孔に対応する位置に設置され、前記放射孔は、前記スタンド本体の外形面より凹んだ位置において開口していることを特徴とする照明スタンド。
【請求項９】
請求項１乃至請求項８のいずれかに記載された照明スタンドであって、前記電極は前記放射孔に対応する位置に設置され、前記放射孔には、前記電極により発生したイオンの通過又は透過を許容する一方、人体の電極への接触を遮断するカバーが形成されていることを特徴とする照明スタンド。
【請求項１０】
請求項９に記載された照明スタンドであって、前記カバーは前記放射孔の開口に渡って形成された単数又は複数のピン状部材であることを特徴とする照明スタンド。
【請求項１１】
請求項１乃至請求項１０のいずれかに記載された照明スタンドであって、前記電極は、前記放射孔に対応する位置に設置され、かつ、前記放射孔に対して進退自在に設置されていることを特徴とする照明スタンド。
【請求項１２】
マイナスイオン発生手段と前記マイナスイオン発生手段を内蔵するスタンド本体とを備えた照明スタンドであって、前記マイナスイオン発生手段は、通電によりイオンを発生させる電極と前記電極に通電する通電部と前記スタンド本体の一部に形成され前記電極により発生したイオンを放射する放射孔とを備え、前記電極は、前記放射孔に対応する位置に設置され、かつ、前記放射孔に対して進退自在に設置されていることを特徴とする照明スタンド。
【請求項１３】
請求項１１又は請求項１２のいずれかに記載された照明スタンドであって、前記電極は、前記電極の前記放射孔に対する進退を許容することができる程度の力で前記電極を挟持する挟持部材により支持されていることを特徴とする照明スタンド。
【請求項１４】
請求項１１乃至請求項１３のいずれかに記載された照明スタンドであって、前記電極は、前記電極を着脱自在に挟持する挟持部材により支持されていることを特徴とする照明スタンド。
【発明の詳細な説明】
【０００１】
【発明の属する技術分野】
本発明は、デスク等に設置されて、手元を照らす照明スタンドの改良に関し、特にマイナスイオンを発生させることができる照明スタンドに関するものである。
【０００２】
【従来の技術】
近年、ストレスの緩和等の精神的な安定や、新陳代謝の活発化等を促す作用があるとしてマイナスイオンが着目されつつあり、このマイナスイオンを発生させる種々の製品が提案されるに至っている。その一つとして、比較的人体に近い場所で使用される照明スタンドにおいてもマイナスイオンを発生させることが提案されている（例えば、特許文献１及び特許文献２参照）。
【０００３】
この照明スタンドは、一般に、手元への光の照射角度等を自由に調整できるように、蛍光灯を保持する傘部をアームにより揺動自在に設置し、また、人の前方から光を照射するため、効率良く採光できるよう、蛍光灯が両目を結んだ線とほぼ並行な向きに配置されるように蛍光灯を保持する傘部がアームから左右に伸びるように設置されることが多い。
【０００４】
しかし、マイナスイオンは、空気中に拡散して人体に接触したり、呼吸器系から体内に吸収されることにより、精神的に又は肉体的に人体に好影響をもたらすため、人体にできるだけ多く降り注ぎ、充分な摂取量を確保することが、その作用を効率よく発揮させる上で重要である。
【０００５】
従って、照明スタンドにおいて、このマイナスイオンが放射される部分、具体的には、放電針となる電極を、例えば、傘部の左右の端部に設置される蛍光灯座等の傘部の端部等に設置した場合（例えば、特許文献１参照）、例えば、傘部の左側に設置した場合には右利きの人にとっは、逆に、傘部の右側に設置した場合には左利きの人にとっては、電極からの腕や顔の位置が遠くなり、マイナスイオンが降り注ぐ効率が低下する結果、マイナスイオンの本来の作用が充分に発揮されない問題が生ずるおそれがある。
【０００６】
特に、デスク等に固定的に設置される照明スタンドあればともかく（例えば、特許文献２参照）、蛍光灯等が左右に揺動自在に設定されている照明スタンドにおいては（例えば、特許文献１参照）、傘部の左端に電極を配置した場合において、傘部を左側へ揺動させて使用した場合には、マイナスイオンの影響が、人体の顔や右腕等に殆ど及ぶことがなくなるおそれがある。
【０００７】
一方、このマイナスイオンを効率良く人体に降り注ぐためには、電極を顔等の人体に比較的に近い位置に設置することが考えられ、そのために電極を照明スタンドから突出して設けることも考えられるが（例えば、特許文献１参照）、この放電針となる電極には、高電圧が負荷されるため、外部から接触可能に設置すると、誤って電極に接した場合等には、却って人体に悪影響を及ぼす問題が生ずるおそれがある。
【０００８】
更に、このマイナスイオンを発生させる電極を、例えば、人体の顔よりも下側に位置する照明スタンドの下方に設置すると（例えば、特許文献２参照）、特にマイナスイオンとの接触が必要な顔等にマイナスイオンを効率的に降り注ぐことができず、マイナスイオンの作用を充分に発揮させることができない問題が生ずるおそれがある。
【０００９】
【特許文献１】
登録実用新案第３０８３９３８号公報
【特許文献２】
特開２００２−４２５４５号公報
【００１０】
【発明が解決しようとする課題】
本発明が解決しようとする課題は、上記の問題点に鑑み、充分な安全性を確保しつつ、マイナスイオンを効率良く人体に降り注いでマイナスイオンの作用を充分に発揮させることができる照明スタンドを提供することにある。
【００１１】
【課題を解決するための手段】
本発明は、上記の課題を解決するための第１の手段として、マイナスイオン発生手段とこのマイナスイオン発生手段を内蔵するスタンド本体とを備えた照明スタンドであって、マイナスイオン発生手段は、通電によりイオンを発生させる電極とこの電極に通電する通電部とスタンド本体の一部に形成され電極により発生したイオンを放射する放射孔とを備え、この放射孔は人体側に向けて開口され、かつ、スタンド本体の中央線付近に形成されていることを特徴とする照明スタンドを提供するものである。
【００１２】
このように、放射孔を人体側に向けて開口し、かつ、スタンド本体の中央線付近に設置すると、左右いずれかに偏ってマイナスイオンが放射されることがなく、マイナスイオンを効率的に放射することができる。
【００１３】
本発明は、上記の課題を解決するための第２の手段として、マイナスイオン発生手段とこのマイナスイオン発生手段を内蔵するスタンド本体とを備えた照明スタンドであって、マイナスイオン発生手段は、通電によりイオンを発生させる電極とこの電極に通電する通電部とスタンド本体の一部に形成され電極により発生したイオンを放射する放射孔とを備え、この放射孔は人体側に向けて開口され、かつ、スタンド本体の中央に配置される部材に形成されていることを特徴とする照明スタンドを提供するものである。
【００１４】
このように、放射孔をスタンド本体の中央に配置される部材に形成すると、左右いずれかに偏ってマイナスイオンが放射されることがなく、マイナスイオンを効率的に放射することができる。
【００１５】
本発明は、上記の課題を解決するための第４の手段として、マイナスイオン発生手段とこのマイナスイオン発生手段を内蔵するスタンド本体とを備えた照明スタンドであって、マイナスイオン発生手段は通電によりイオンを発生させる電極とこの電極に通電する通電部とスタンド本体の一部に形成され電極により発生したイオンを放射する放射孔とを備え、スタンド本体は蛍光灯又は電球を保持する傘部とこの傘部に取り付けられるアーム部とこのアーム部を支持する支持部とを備え、放射孔は人体側に向けて開口され、かつ、アーム部よりも傘部側であって照明スタンドの中央に配置される部材に形成されていることを特徴とする照明スタンドを提供するものである。
【００１６】
このように、放射孔を、アーム部よりも傘部側に設置される部材に形成すると、マイナスイオンを人体より上方から降下させて効率的に散布することができ、かつ、この部材がスタンドの中央に配置されているため、左右いずれかに偏ってマイナスイオンが放射されることがなく、マイナスイオンを効率的に放射することができる。
【００１７】
本発明は、上記の課題を解決するための第５の手段として、上記第１乃至第４のいずれかの解決手段において、スタンド本体は、蛍光灯又は電球を保持する傘部とこの傘部に取り付けられるアーム部とアーム部を支持する支持部とを備え、この傘部はアームにより少なくとも左右に揺動自在に設定され、放射孔は、傘部の揺動の中心線付近に形成されていることを特徴とする照明スタンドを提供するものである。
【００１８】
このように、傘部が左右に揺動自在な照明スタンドにおいて、その揺動の中心線付近に放射孔を形成すると、傘部が左右どちらに揺動しても、いずれか一方のみに著しく偏って、マイナスイオンが放射されることがなく、マイナスイオンを効率的に放射することができる。具体的には、以下の解決手段によることができる。
【００１９】
即ち、本発明は、上記の課題を解決するための第５の手段として、上記第４の解決手段において、放射孔は、傘部の揺動の中心となるアームの中心線の延伸線上に配置される揺動可能な部材に形成されていることを特徴とする照明スタンドを提供するものである。
【００２０】
本発明は、上記の課題を解決するための第６の手段として、上記第３乃至第５のいずれかの解決手段において、傘部は、傘部の中央に取り付けられた連結部材を介してアームに取り付けられ、放射孔は、この連結部材に下向きに開口して形成されていることを特徴とする照明スタンドを提供するものである。
【００２１】
このように、傘部を連結部材を介してアームに取付け、この連結部材に放射孔を形成すると、特に、傘部が揺動自在に設定されている場合でも、マイナスイオンが左右のいずれかに偏って放射されることがないと共に、顔等よりも少なくとも上方か、ほぼ同じ高さからマイナスイオンが放射されるため、効率的にマイナスイオンを放射することができ、更に、この連結部材内にインバータ等と共に通電部を設置することができ、電気回路を集中して配設することができるため、設計が容易となる。
【００２２】
本発明は、上記の課題を解決するための第７の手段として、上記第１乃至第６のいずれかの解決手段において、電極は放射孔に対応する位置で、かつ、スタンド本体より突出しない位置に設置されていることを特徴とする照明スタンドを提供するものである。
【００２３】
このように、放射孔をマイナスイオンを効率的に放射できる位置に形成しつつ、電極をスタンド本体より突出しない位置に設置すると、マイナスイオンを効率よく放射しつつ、人体が電極に接触するおそれが少なくなり安全性を確保することができる。
【００２４】
本発明は、上記の課題を解決するための第８の手段として、上記第１乃至第７のいずれかの解決手段において、電極は放射孔に対応する位置に形成され、放射孔は、スタンド本体の外形面より凹んだ位置において開口していることを特徴とする照明スタンドを提供するものである。
【００２５】
このように、放射孔をスタンド本体の外形面より凹んだ位置に形成すると、より一層人体が電極に触れるおそれが少なくなり、より確実に安全性を確保することができる。
【００２６】
本発明は、上記の課題を解決するための第９の手段として、上記第１乃至第８のいずれかの解決手段において、電極は放射孔に対応する位置に形成され、放射孔には、電極により発生したイオンの通過又は透過を許容する一方、人体の電極への接触を遮断するカバーが形成されていることを特徴とする照明スタンドを提供するものである。
【００２７】
このように、イオンの通過又は透過を許容しつつ人体の侵入を防ぐカバーを形成すると、マイナスイオンの放射を確保しつつ、人体の電極への接触を確実に防止することができる。具体的には、以下の解決手段によることができる。
【００２８】
即ち、本発明は、上記の課題を解決するための第１０の手段として、上記第９の解決手段において、カバーは放射孔の開口に渡って形成された単数又は複数のピン状部材であることを特徴とする照明スタンドを提供するものである。
【００２９】
本発明は、上記の課題を解決するための第１１の手段として、上記第１乃至第１０のいずれかの解決手段において、電極は放射孔に対応する位置に設置され、放射孔に対して進退自在に設置されていることを特徴とする照明スタンドを提供するものである。
【００３０】
また、本発明は、上記の課題を解決するための第１２の手段として、マイナスイオン発生手段とこのマイナスイオン発生手段を内蔵するスタンド本体とを備えた照明スタンドであって、マイナスイオン発生手段は、通電によりイオンを発生させる電極とこの電極に通電する通電部とスタンド本体の一部に形成され電極により発生したイオンを放射する放射孔とを備え、電極は、放射孔に対応する位置に設置され、かつ、放射孔に対して進退自在に設置されていることを特徴とする照明スタンドを提供するものである。
【００３１】
これらの第１０又は第１１の解決手段のように、放射孔に対して電極を進退自在に設置すると、放射孔との位置関係を相対的に調整して電極を確実に放射孔から突出しないように簡易に位置調整することができ、微妙な位置調整をする必要がなくなるため製造が容易となると共に、特に、様々な態様の放射孔や寸法誤差にも簡易に対応することができる。具体的には、次の第１３又は第１４の解決手段によることができる。
【００３２】
即ち、本発明は、上記の課題を解決するための第１３の手段として、上記第１１又は第１２のいずれかの解決手段において、電極は、電極の放射孔に対する進退を許容することができる程度の力で電極を挟持する挟持部材により支持されていることを特徴とする照明スタンドを提供するものである。
【００３３】
また、本発明は、上記の課題を解決するための第１４の手段として、上記第１１乃至第１３のいずれかの解決手段において、電極は、電極を着脱自在に挟持する挟持部材により支持されていることを特徴とする照明スタンドを提供するものである。
【００３４】
【発明の実施の形態】
本発明の実施の形態を図面を参照しながら詳細に説明すると、図１は本発明の照明スタンド１０を示し、この照明スタンド１０は、図１に示すように、スタンド本体１２と、このスタンド本体１２に内蔵されるマイナスイオン発生手段１４とを備えている。
【００３５】
スタンド本体１２は、図１に示すように、蛍光灯又は電球１３を保持して光を輻射する傘部１６と、この傘部１６に取り付けられるアーム部１８と、アーム部１８を支持する支持部２０とを備えている。図示の実施の形態では、傘部１６は、連結部材２２を介して、アーム１８に取り付けられ、図１の矢印に示すように、このアーム１８により少なくとも左右に揺動自在に設定されている。なお、支持部２０は、アーム１８及び傘部１６を立脚させるもので、図示しないスイッチ等を備えた基台２０Ａ（図１参照）の他、デスクの天板等に締め付け等により固定される固定足とすることもできる。
【００３６】
マイナスイオン発生手段１４は、図１及び図２に示すように、通電によりイオンを発生させる放電針としての電極２４と、この電極２４に通電する通電部２６と、スタンド本体１２の一部に形成され電極２４により発生したイオンを放射する放射孔２８とを備えている。通電部２６は、図示の実施の形態では、図２に示すように、図示しないインバータ等の照明のための電気回路と共に、連結部材２２内に設置されている。
【００３７】
また、放射孔２８は、図１及び図２に示すように、人体側に向けて開口され、かつ、照明スタンドを正面から見た場合のスタンド本体１２の中央線Ｃ（図１参照）付近に形成されている。具体的には、図２に示すように、スタンド本体１２の中央に配置される部材、即ち、連結部材２２に形成されている。従って、左右いずれかに偏ってマイナスイオンが放射されることがなく、マイナスイオンを効率的に放射することができる。
【００３８】
より具体的には、放射孔２８は、この連結部材２２において、図２に示すように、人体側である下方に向けて開口して形成されている。また、通常、照明スタンド１０を設置する場合には、手暗がりにならないよう、例えば、右利きの人は、照明スタンドを自分の左側に設置して、左方向から光を照射させることが多いため、図示の実施の形態では、図２に示すように、マイナスイオンがより人体に近い位置で放射されるように、放射光２８は、連結部材２２の下方から見て右方向に形成されている。但し、放射孔２８の位置は必ずしも図示の状態には限定されず、中心線Ｃ（図１参照）付近に形成され、左右のいずれかのみに偏らなければ、中心線Ｃ（図１参照）上や下方から見て左側等の他の位置に形成することもでき、また、複数形成することもできる。勿論、連結部材２２以外の部材に形成することを妨げるものではない。
【００３９】
なお、この連結部材２２は、図２に示すように、部材本体２２Ａとカバー部２２Ｂとから形成され、このカバー部２２Ｂの着脱により、内部にマイナスイオン発生手段１４の通電部２６や電極２４図示しないインバータや通電部２６を内部に収納することができるようになっている。放射孔２８は、図２に示すに示すように、このカバー部２２Ｂに形成することができる。
【００４０】
また、図示の実施の形態では、傘部１６は、アーム１８の自転又はねじれ等により揺動自在に設置されており、連結部材２２は、傘部１６と共に揺動可能に設定されているが、アーム１８をほぼ直線上に延伸した状態を示す図１に示すように、この傘部１６の揺動の中心となるアーム１８の中心線Ｃ（図１参照）の延伸線上に配置されているため、この連結部材２２に放射孔２８を形成すると、傘部１６が左右どちらに揺動しても、いずれか一方のみに著しく偏って、マイナスイオンが放射されることがなく、マイナスイオンを効率的に放射することができる。
【００４１】
また、この連結部材２２は、アーム１８よりも傘部１６側に配置されているため、この連結部材２２に放射孔２８を形成すると、人が椅子に腰掛けた通常の使用状態において、顔等よりも少なくとも上方か、ほぼ同じ高さからマイナスイオンが放射されるため、効率的にマイナスイオンを放射することができる。
【００４２】
電極２４は、図３及び図４に特に示すように、この放射孔２８に対応する位置で、かつ、スタンド本体１２より突出しない位置に設置されている。このため、放射孔２８の適切な配置によりマイナスイオンを効率よく放射しつつ、人体が電極２４に接触するおそれが少なくなり安全性を確保することができる。また、この場合、放射孔２８を連結部材２２に形成し、また、電極２４及び通電部２６をこの連結部材２２に設置しているため、マイナスイオン発生手段１４を連結部材２２に集中して配置することができるため、設計及び製造が容易であると共に、特に、マイナスイオン発生手段１４をインバータ等と共に連結部材２２内に配置することにより、電気回路を集中して配設することができる。
【００４３】
また、この場合、図３に示すように、放射孔２８は、スタンド本体１２の外形面より凹んだ位置において開口するように、形成することができる。具体的には、スタンド本体１２に溝３０を形成し、この溝３０の底面部分に放射孔２８を形成する。これにより、電極２４は奥まった位置に設置されるため、人体がより一層電極に触れるおそれが少なくなり、より確実に安全性を確保することができる。
【００４４】
また、その他、図４に示すように、放射孔２８に、電極２４により発生したイオンの通過又は透過を許容する一方、人体の電極２４への接触を遮断するカバー３２を形成することもできる。このカバー３２としては、具体的には、図４に示すように、放射孔２８の開口に渡って形成されたピン状部材３４とすることができる。図示の実施の形態では、単数のピン状部材３４が設置されているのが示されているが、複数のピン状部材を網状に設置することにより、カバー３２とすることもできる。このカバー３２によっても、人体の放射孔２８内への挿入を防止してマイナスイオンの放射を確保しつつ、人体の電極への接触を確実に防止することができる。従って、このカバー３２は、放射孔２８による開口を、人体の一部が通過することができない程度の大きさに区切るように設置される。
【００４５】
この電極２４は、図５に示すように、放射孔２８に対して進退自在に設置されている。具体的には、図５に示すように、電極２４は、連結部材２２内において、電極２４を着脱自在に挟持する挟持部材３６により支持されている。この挟持部材３６は、図５に示すように、部材本体２２Ａ内に設置され、縦方向に切り欠き３６ａが形成された、横断面が略Ｃの字状に形成されている。従って、挟持部材３６は、この切り欠き３６ａを通じて、挟持部材３６内に電極２４（を被覆する線）を嵌め込み又は取り外すことにより、電極２４を着脱自在に保持することができ、これにより、電極２４が挟持部材３６から突出する突出長さを調整して電極２４を切り欠き３６ａを通じて挟持部材３６嵌め込むことにより、電極２４を放射孔２８に対し進退自在に設置して、電極２４の放射孔２８に対する相対的な位置関係を調整することができる。
【００４６】
これにより、電極２４を確実に放射孔２８から突出しないように簡易に位置調整することができ、微妙な位置調整をする必要がなくなるため、製造が容易となると共に、特に、様々な態様の放射孔２８や寸法誤差にも簡易に対応することができる。例えば、図３に示すように、放射孔２８が、スタンド本体１２の外形面より凹んだ位置において開口している実施の形態等にも適切に対応することができる。なお、挟持部材３６により、電極２４の放射孔２８に対する進退を許容することができる程度の力で電極２８を挟持することにより、電極２４を放射孔２８に対して進退自在に保持することもできる。
【００４７】
なお、図示の実施の形態では、縦方向に伸びるアーム１８により、アーム１８の自転又はねじれにより傘部１６を揺動自在としたが、アーム１８によりリンク機構を形成して揺動自在とすることもでき、この場合も、アーム１８の中心軸の延伸線上の部材に放射孔２８を形成することにより、マイナスイオンを効率的に放射することができる。また、傘部１６を特に揺動自在に設定しない場合においても、放射孔２８をスタンド本体１２の中心線Ｃ付近に形成することにより、マイナスイオンを効率的に放射できることは勿論である。
【００４８】
【発明の効果】
本発明によれば、上記のように、放射孔を人体側に向けて開口し、かつ、スタンド本体の中央線付近に設置しているため、左右いずれかに偏ってマイナスイオンが放射されることがなく、マイナスイオンを効率的に放射することができるので、マイナスイオンの作用を充分に発揮させることができる実益がある。
【００４９】
まｔ、本発明によれば、上記のように、放射孔をスタンド本体の中央に配置される部材に形成しているため、左右いずれかに偏ってマイナスイオンが放射されることがなく、マイナスイオンを効率的に放射することができる実益がある。
【００５０】
本発明によれば、上記のように、放射孔を、アーム部よりも傘部側に設置される部材に形成しているため、マイナスイオンを人体より上方から降下させて効率的に散布することができ、かつ、この部材がスタンドの中央に配置されているため、左右いずれかに偏ってマイナスイオンが放射されることがなく、マイナスイオンを効率的に放射することができる実益がある。
【００５１】
本発明によれば、上記のように、傘部が左右に揺動自在な照明スタンドにおいて、その揺動の中心線付近に放射孔を形成しているため、傘部が左右どちらに揺動しても、いずれか一方のみに著しく偏って、マイナスイオンが放射されることがなく、マイナスイオンを効率的に放射することができる実益がある。
【００５２】
本発明によれば、上記のように、傘部を連結部材を介してアームに取付け、この連結部材に放射孔を形成しているため、特に、傘部が揺動自在に設定されている場合でも、マイナスイオンが左右のいずれかに偏って放射されることがないと共に、顔等よりも少なくとも上方か、ほぼ同じ高さからマイナスイオンが放射されるため、効率的にマイナスイオンを放射することができ、更に、この連結部材内にインバータ等と共に通電部を設置することができ、電気回路を集中して配設することができるため、設計が容易となる実益がある。
【００５３】
本発明によれば、上記のように、放射孔をマイナスイオンを効率的に放射できる位置に形成しつつ、電極をスタンド本体より突出しない位置に設置しているため、マイナスイオンを効率よく放射しつつ、人体が電極に接触するおそれが少なくなり安全性を確保することができる実益がある。
【００５４】
本発明によれば、上記のように、放射孔をスタンド本体の外形面より凹んだ位置に形成しているため、より一層人体が電極に触れるおそれが少なくなり、より確実に安全性を確保することができる実益がある。
【００５５】
本発明によれば、上記のように、イオンの通過又は透過を許容しつつ人体の侵入を防ぐカバーを形成しているため、マイナスイオンの放射を確保しつつ、人体の電極への接触を確実に防止することができ実益がある。
【００５６】
本発明によれば、上記のように、放射孔に対して電極を進退自在に設置しているため、放射孔との位置関係を相対的に調整して電極を確実に放射孔から突出しないように簡易に位置調整することができ、微妙な位置調整をする必要がなくなるので、製造が容易となると共に、特に、様々な態様の放射孔や寸法誤差にも簡易に対応することができる実益がある。
【図面の簡単な説明】
【図１】本発明の照明スタンドの概略正面図である。
【図２】本発明に用いられる連結部材を示し、同図（Ａ）はその拡大底面図、同図（Ｂ）は概略断面図である。
【図３】本発明に用いられる放射孔の拡大断面図である。
【図４】本発明に用いられる放射孔の他の実施の形態を示し、同図（Ａ）はその横断面図、同図（Ｂ）はその正面図である。
【図５】本発明に用いられる電極の支持状態を示す概略斜視図である。
【符号の説明】
１０　照明スタンド
１２　スタンド本体
１３　蛍光灯又は電球
１４　マイナスイオン発生手段
１６　傘部
１８　アーム
２０　支持部
２０Ａ　基台
２２　連結部材
２２Ａ　部材本体
２２Ｂ　カバー部
２４　電極
２６　通電部
２８　放射孔
３０　溝
３２　カバー
３４　ピン状部材
３６　挟持部材
【図１】
2004127648.tif 000003
【図２】
2004127648.tif 000004
【図３】
2004127648.tif 000005
【図４】
2004127648.tif 000006
【図５】
2004127648.tif 000007